(57)【要約】【課題】  非接触券等の乗車券の残額が少なくなったことを利用者に報知できる自動改札機を提供する。【解決手段】  乗車券に記録されているデータを基に演算処理を行なって入出場処理を行なう自動改札機において、前記自動改札機の本体を構成する筐体の上面に前記乗車券に記録されているデータが所定の状態になったときに黄色等に点灯する案内画面を設ける。【選択図】      図３
2005174197.tif 000002
【特許請求の範囲】
【請求項１】
乗車券に記録されているデータを基に演算処理を行なって入出場処理を行なう自動改札機において、
前記自動改札機の本体を構成する筐体の上面に前記乗車券に記録されているデータが所定の状態になったときに点灯する案内画面を設けたことを特徴とする自動改札機。
【請求項２】
請求項１に記載の自動改札機において、案内画面は、乗車券に記録されている内容を表示する表示画面と別体に設けられていることを特徴とする自動改札機。
【請求項３】
請求項１に記載の自動改札機において、案内画面は、乗車券に記録されている内容を表示する表示画面と兼用されていることを特徴とする自動改札機。
【請求項４】
請求項１〜３のいずれかに記載の自動改札機において、点灯は、乗車券に記録されている金額が所定以下の状態になったときに行われるものであることを特徴とする自動改札機。
【請求項５】
請求項１〜４のいずれかに記載の自動改札機において、点灯は、点滅点灯であることを特徴とする自動改札機。
【請求項６】
請求項１〜５のいずれかに記載の自動改札機において、点灯は、赤色又は黄色等の利用者に注意を喚起させる色彩で行われることを特徴とする自動改札機。
【請求項７】
請求項１〜６のいずれかに記載の自動改札機において、乗車券は、非接触券であることを特徴とする自動改札機。
【請求項８】
請求項１〜７のいずれかに記載の自動改札機において、筐体の上面は、改札通路側が低くなるように傾斜したものであることを特徴とする自動改札機。
【発明の詳細な説明】
【技術分野】
【０００１】
本発明は自動改札機に係り、特に、利用者に対する案内性を向上させたものに関する。
【背景技術】
【０００２】
従来、この種の自動改札機は、乗車券（本発明で単に乗車券というときは、磁気券からなる普通乗車券や定期券等の各種乗車券類、ストアードフェアカード（ＳＦカード）等のカード類及び無線通信機能を備えたＩＣカードからなる非接触券を含んでいる。）に記録されているデータを基に演算処理を行ない、その演算処理の結果、入出場（入場又は出場を意味している。）を許可できるときは、ドアが開かれて（自動改札機の本体がノーマルオープン型のときはそのまま）改札通路の通過が許可され、その演算処理の結果が入出場を許可できないときは、ドアが閉じられて改札通路の通過が禁止されるように構成されている。
【０００３】
また、従来の自動改札機は、自動改札機の本体の筐体の上面に乗車券に記録されている内容や処理内容等を表示して利用者（旅客）に案内する表示画面が設けられている（特許文献１参照）。また、従来の自動改札機の中には、上記表示画面の他に電照部や表示灯を設けて自動改札機の本体に投入された乗車券が無効券であることを利用者に報知したり、あるいはドア閉の予告等を行なえるようにすることも提案されている（特許文献２〜４参照）。
【特許文献１】特開２０００−３３１２０２号公報
【特許文献２】特開平８−１４７５０５号公報
【特許文献３】特開平９−３１１９５７号公報
【特許文献４】特開平９−３１１９５８号公報
【発明の開示】
【発明が解決しようとする課題】
【０００４】
しかしながら、上記従来の自動改札機における表示画面や表示灯による案内は、主に無効券や無札者の改札通路の通過を拒否された者に対する案内で、例えば、乗車券に含まれるＳＦデータの金額が残り少なくなっているような、乗車券が所定の状態になっていることを利用者に案内するための案内性に欠ける欠点があった。
【０００５】
従来の自動改札機においても、その自動改札機の本体の投入口にＳＦカードが投入されたときには表示画面に残額が表示されるが、そのＳＦカードが非接触券の場合は、磁気券からなるＳＦカードのときと異なり、入出場が許可されたとき、利用者は改札通路の出口側で立止まることがないので表示画面を見ることが少なく、したがって、今回は通過できても次回は残額不足で通過できなくなるというような欠点があった。
【０００６】
そこで、本発明は、上記欠点を解決するためになされたものであって、その目的は、利用者に対して乗車券の状態を効果的に報知できるようにした自動改札機を提供することにある。
【課題を解決するための手段】
【０００７】
本発明に係る自動改札機は、上記目的を達成するために、請求項１に記載の発明は、乗車券に記録されているデータを基に演算処理を行なって入出場処理を行なう自動改札機において、前記自動改札機の本体を構成する筐体の上面に前記乗車券に記録されているデータが所定の状態になったときに点灯する案内画面を設けたことを特徴としている。
本発明の請求項２に記載の自動改札機は、案内画面は、乗車券に記録されている内容を表示する表示画面と別体に設けられていることを特徴としている。
本発明の請求項３に記載の自動改札機は、案内画面は、乗車券に記録されている内容を表示する表示画面と兼用されていることを特徴としている。
本発明の請求項４に記載の自動改札機は、点灯は、乗車券に記録されている金額が所定以下の状態になったときに行われるものであることを特徴としている。
本発明の請求項５に記載の自動改札機は、点灯は、点滅点灯であることを特徴としている。
本発明の請求項６に記載の自動改札機は、点灯は、赤色又は黄色等の利用者に注意を喚起させる色彩で行われることを特徴としている。
本発明の請求項７に記載の自動改札機は、乗車券は、非接触券であることを特徴としている。
本発明の請求項８に記載の自動改札機は、筐体の上面は、改札通路側が低くなるように傾斜したものであることを特徴としている。
【発明の効果】
【０００８】
本発明の請求項１に記載の自動改札機は、自動改札機の本体を構成する筐体の上面に前記乗車券に記録されているデータが所定の状態になったときに点灯する案内画面を設けたので、利用者は、案内画面の点灯により乗車券の状態が所定の状態になったことを容易に知ることが可能となる。
本発明の請求項２に記載の自動改札機は、案内画面は、乗車券に記録されている内容を表示する表示画面と別体に設けられているので、利用者は、表示画面以外の点灯により乗車券の状態が所定の状態になっていることを知ることができる。
本発明の請求項３に記載の自動改札機は、案内画面は、乗車券に記録されている内容を表示する表示画面と兼用されているので、利用者は、表示画面の点灯により乗車券の状態が所定の状態になっていることを知ることができる。
本発明の請求項４に記載の自動改札機は、点灯は、乗車券に記録されている金額が所定以下の状態になったときに行われるので、利用者は、乗車券に含まれている金額が少なくなっていることを容易に知ることができる。
本発明の請求項５に記載の自動改札機は、案内画面又は表示画面が点滅点灯するので、より案内性を高めることができる。
本発明の請求項６に記載の自動改札機は、点灯は、赤色又は黄色等の利用者に注意を喚起させる色彩で行われるので、より案内性を高めることができる。
本発明の請求項７に記載の自動改札機は、乗車券が非接触券であるので、その非接触券の記録内容を容易に知ることができる。
本発明の請求項８に記載の自動改札機は、筐体の上面が改札通路側が低くなるように傾斜しているので、案内画面又は表示画面が利用者から見易くなる特長がある。
【発明を実施するための最良の形態】
【０００９】
以下、本発明の実施の形態を図面に基づいて説明する。図１は、一実施の形態に係る自動改札機の本体（以下、「改札機本体」という。）Ｇ1 を形成する一対の筐体のうちの一方の筐体Ｈを改札通路側Ｐから見た斜視図である。
【００１０】
この改札機本体Ｇ1 は、無線通信機能を備えたＩＣカードからなる非接触券Ｃ（後述する図２参照）のみを処理することのできる非接触券専用型に構成されている。この改札機本体Ｇ1 を形成する筐体Ｈの改札通路Ｐの入口側上面には、非接触券Ｃと交信するためのアンテナａが設けられているとともに、その非接触券Ｃとの交信内容やその非接触券の残額情報等を利用者に案内する表示画面１が設けられている。
【００１１】
上記表示画面１の設けられている筐体Ｈの上面は、図示されるように、改札通路Ｐ側が低くなる傾斜面に形成されていて、利用者が表示画面１の表示内容を見やすいように工夫されている。そして、その傾斜している筐体Ｈの上面には、表示画面１よりも改札通路Ｐの出口側に向けて大型の案内画面Ｌが設けられている。この案内画面Ｌは、改札通路Ｐの通過方向に伸びる長方形の窓形を呈し、内部に設けられている図示しない光源が点灯したときは、白色、青色（緑色を含む。）、黄色又は赤色等に表面が発色して所定の色彩に変化できるように構成されている。なお、この案内画面Ｌの点灯は、連続点灯（常時点灯）としてもよく、また、点灯と消灯を短時間のうちに繰返す点滅点灯とすることもできる。点滅点灯としたときは、利用者に対する注意喚起力が高くなり、より案内性を高めることができる。
【００１２】
図中、Ｂはセンサ取付ボックスであって、筐体Ｈの上面で、かつ、改札通路Ｐと反対側に設けられ、その改札通路Ｐに沿って設けられている。このセンサ取付ボックスＢ内には、反射型センサからなる人間検知器Ｓ1 〜Ｓ3 が改札通路Ｐの入口側、中央部及び出口側にそれぞれ内蔵されていて、改札通路Ｐ内の大人の利用者を検知することができるように構成されている。すなわち、この反射型センサからなる人間検知器Ｓ1 〜Ｓ3 は、改札通路Ｐの床面から所定の高さに向けて光線を照射する発光素子と、その照射された光線が物体（利用者）に当たって反射してきた光線（反射光）を受光する受光素子とにより構成されている。また、Ｓ10〜Ｓ15は、光電素子からなる透過型センサからなる人間検知器であって、筐体Ｈの改札通路Ｐ側に所定の間隔を保って設けられていて、改札通路Ｐ内の利用者位置を検知することができるように構成されている。そして、これら透過型センサからなる人間検知器Ｓ10〜Ｓ15で検知され、かつ、上述の反射型センサからなる人間検知器Ｓ1 〜Ｓ3 で検知されないときは、その利用者は子供（小児）の利用者と判定される。
【００１３】
図中、Ｌ′は、ランプであって、センサ取付ボックスＢの改札通路Ｐの出口側上面に設けられている。このランプＬ′は、従来の自動改札機に用いられているものと同様に、改札機本体Ｇ1 で子供券が使用されたときに白色に発光して利用者が子供券を使用したことを係員に報知するとともに、無札者（無効券も含む。）が発生したときに、赤色に発光してその旨を係員に報知できるように構成されている。
【００１４】
図中、Ｄ1 ，Ｄ2 は、改札通路Ｐを開閉する、筐体Ｈの側面に設けられたドアであり、これらドアＤ1 ，Ｄ2 のうち、ドアＤ1 は改札通路Ｐの出口側に設けられ、ドアＤ2 はその入口側に設けられている。そして、これらドアＤ1 ，Ｄ2 は、改札機本体Ｇ1 を統括的に制御する制御器３により駆動制御されるように構成されている。また、ドアＤ2 は、改札機本体Ｇ1 が稼動を停止したときに閉じられるドアであり、さらに、改札機本体Ｇ1 がノーマルオープン型のときや双方向型のときは、このドアＤ2 は、図１の矢印方向と反対方向から進入してくる利用者に対して改札通路Ｐの出口側のドアとなる。
【００１５】
図中、イは、開口部であって、筐体Ｈの改札通路Ｐ側の側面下部に貫通して、すなわち、筐体Ｈを中間にした反対側の改札通路Ｐに通じる空間として形成されている。この開口部イの大きさは、筐体Ｈが所定の強度を保てる範囲で、かつ、その筐体Ｈ内にドアＤ1 ，Ｄ2 の駆動機構や制御機器類を収納できる容積を確保して、可能な限り大きくあけられている。また、その開口部イの形状は、図示のように長方形ではなく、円形や楕円、あるいは多角形であってもよい。このように、筐体Ｈに開口部イを設けると、筐体Ｈの重量を軽減できる等の効果を得ることができる。
【００１６】
図２は、制御器３の概略構成を示すブロック図であって、メモリ１０に格納されているシステムプログラムデータ及びワーキングデータを用いて所定の演算処理を行なう中央処理部（ＣＰＵ）１１を有している。そして、このＣＰＵ１１には、アンテナａを介して非接触券Ｃとデータ授受を行なうリーダライタ１２と、各人間検知器Ｓ1 〜Ｓ3 ，Ｓ10〜Ｓ15からの信号を入力して増幅処理等する人間検知器ユニット１３と、ドアＤ1 ，Ｄ2 を駆動制御するドア駆動ユニット１４と、案内画面Ｌの図示しない光源及びＬ′を点灯制御するランプ駆動ユニット１５とが接続されている。なお、ＣＰＵ１１には、表示画面１を駆動制御するユニット等も接続されているが、ここでは省略されている。
【００１７】
非接触券Ｃは、周知の無線通信機能を有するＩＣカードと同様に構成されている。すなわち、この非接触券Ｃには、図示しないが、アンテナと、改札機本体Ｇ1 側と交信するための通信制御部と、その通信制御部とＩ／Ｏユニットを介して接続されているＣＰＵと、システムプログラムデータ、定期券データ、ＳＦカードデータ及びカードＩＤデータ等の所定のカードデータの記録されているメモリと、改札機本体Ｇ1 からの電力波をアンテナを介して受信し、非接触券Ｃの駆動電力を生成する電力生成回路とを有している。
【００１８】
以下、図３のフローチャートを用いて制御動作について説明する。今、非接触券Ｃを所持している利用者がその非接触券ＣのＳＦデータを用いて改札機本体Ｇ1 を介して入出場を行なおうとし、その非接触券Ｃをアンテナａに軽くタッチ、又はそのアンテナａにかざしたとする（以下、タッチで説明する。）（ステップ１００肯定。以下、ステップを「Ｓ」とする。）。なお、図３のフローチャートでは省略されているが、アンテナａを介しての交信が行われることなく、利用者が所定位置まで進入したことが検知されたときは、その利用者は無札者と判定されてドアＤ1 が閉じられて入出場が禁止（阻止）されるとともに、案内画面Ｌが赤色に点灯して入出場が拒否されたことが利用者に報知され、また、その無札者の発生がランプＬ′の点灯により係員に報知される。
【００１９】
さて、非接触券Ｃがアンテナａにタッチされると、改札機本体Ｇ1 と非接触券Ｃとの間でデータ授受が行われ、改札機本体Ｇ1 のＣＰＵ１１では、非接触券Ｃから得たカードデータに基づいて入出場のための所定の演算処理が行われる（Ｓ１０２）。そして、その演算処理の結果、入出場を許可でき、しかも、非接触券ＣのＳＦデータの金額が所定金額、例えば５０円を越えるときは（Ｓ１０４肯定）、ドアＤ2 が開かれて改札通路Ｐの通過が許可されるとともに、（改札機本体Ｇ1 がノーマルオープン型のときはそのまま）、案内画面Ｌが白色に点灯される（Ｓ１０６肯定、Ｓ１０８）。なお、この白色点灯の代わりに青色点灯とすることもできる。また、この白色又は青色の点灯は、改札機本体Ｇ1 が稼動中、常時点灯し、入出場が許可でき、かつ、非接触券Ｃの残額が所定額（例えば５０円）を越えるときは、そのまま点灯を継続するようにすることもできる。
【００２０】
改札機本体Ｇ1 のＣＰＵ１１における演算処理の結果、入出場を許可できるが（Ｓ１０４肯定）、非接触券ＣのＳＦデータの金額が所定金額以下（例えば５０円）のときは（Ｓ１０６否定）、案内画面Ｌは黄色点灯となり、利用者に注意が促される（Ｓ１１０）。この注意点灯により、利用者は表示画面１の残額を見ることになるので、非接触券Ｃの残額が少なくなっていることを知り、金額の積増しを行なうことができる。なお、この場合、表示画面１の残額の表示を点滅点灯させて、より注意を促すようにしてもよい。
【００２１】
改札機本体Ｇ1 のＣＰＵ１１における演算処理の結果、入出場を許可できないときは、例えば、有効期間切れや乗越し、あるいは、ＳＦカードの残額が不足するようなときは（Ｓ１０４否定）、ドアＤ１が閉じられるとともに、案内画面Ｌが赤色点灯し、また、表示画面１に精算案内等の所定の案内が行われる（Ｓ１１２）。したがって、利用者は、案内画面Ｌが赤色で点灯されるので、改札通路Ｐの通過が禁止（阻止）されたことを容易に知ることができる。しかも、この案内画面Ｌは、光源の点灯処理なのでドアＤ1 が閉じられるよりも早く利用者に示されるので、利用者が閉じられたドアＤ1 に接触するのを効果的に防止することもできる。
【００２２】
図４は、本発明の他の実施の形態の自動改札機の斜視図である。すなわち、この改札機本体Ｇ2 は、磁気券も処理できる兼用型に構成されている。この兼用型の改札機本体Ｇ2 には、筐体Ｈ′のアンテナａの近くで、改札通路Ｐの入口側に磁気券の投入口２０が設けられるとともに、その筐体Ｈ′の上面で改札通路Ｐの出口側に磁気券の取出口２１が設けられ、また、筐体Ｈ′の内部には、図示しないが、磁気券を処理するための磁気ヘッド等を備えたカードハンドラが設けられる。さらに、改札機本体Ｇ2 を入場用にも出場用にも使用できる、いわゆる双方向型にしたときは、図示しない他方の筐体にも、アンテナや投入口等が設けられる。なお、この改札機本体Ｇ2 の筐体Ｈ′の上面に設けられる表示画面１′は、上記図１に示される表示画面１と異なり、改札通路Ｐの出口側に設けられている。そして、この表示画面１′は、図示しない光源により、白色、青色、黄色又は赤色等に色彩が変化できるように構成されている。なお、この図４は、上記図１と同一構成要素には同一符号が付されている。
【００２３】
この改札機本体Ｇ2 では、投入口２０に投入された磁気券からなるＳＦカード、又はアンテナａにタッチされた非接触券Ｃ（この図４では省略。図２参照）のＳＦデータの金額が所定の金額（例えば５０円）を越えるときは、表示画面１′が白色又は青色に点灯される。また、その金額が所定の金額以下（例えば５０円以下）のとき、表示画面１′は、黄色に点灯して残額が少なくなっていることが利用者へ報知される。したがって、利用者は、金額の積増しを行なうことが可能となる。なお、この残額が少なくなっている溶きは、その残額表示を点滅点灯で表示させるようにしてもよい。もちろん、今回の入出場処理において残額不足等により入出場が拒否されたときは、ドアＤ1 が閉じられるとともに、表示画面１′が赤色に点灯されて入出場が拒否されたことが利用者に報知されるとともに、その表示画面１′に精算案内等の案内が行われる。
【００２４】
なお、この改札機本体Ｇ2 では、表示画面１′に上記図１の案内画面Ｌの機能を持たせたが、取出口２１とアンテナａとの間の筐体Ｈ′の上面に、上記図１に示されると同様の案内画面を設けるようにしてもよい。
【００２５】
また、上述の例では、案内画面Ｌ又は表示画面１′の点灯は、ＳＦデータの金額によって色彩が異なるように制御したが、定期券の期限間近（例えば有効期限の１週間前）等の内容により制御するようにしてもよい。
【図面の簡単な説明】
【００２６】
【図１】本発明の一実施の形態に係る改札機本体の一対の筐体のうちの一方の筐体を改札通路側から見た斜視図である。
【図２】制御器の概略構成を示すブロック図である。
【図３】制御動作を示すフローチャートである。
【図４】本発明の他の実施の形態に係る改札機本体の一対の筐体のうちの一方の筐体を改札通路側から見た斜視図である。
【符号の説明】
【００２７】
Ｇ1 ，Ｇ2   自動改札機の本体（改札機本体）
Ｈ，Ｈ′  筐体
ａ  アンテナ
１，１′  表示画面
３  制御器
Ｌ′  ランプ
Ｌ  案内画面
Ｓ1 〜Ｓ3 ，Ｓ10〜Ｓ15  人間検知器
Ｄ1 ，Ｄ2   ドア
Ｐ  改札通路
Ｃ  非接触券
【図１】
2005174197.tif 000003
【図２】
2005174197.tif 000004
【図３】
2005174197.tif 000005
【図４】
2005174197.tif 000006